【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局によって構成されたフィラー信号の最大許容長さに少なくとも部分的に基づいて、前記フィラー信号の長さを識別するステップと、
識別された前記長さの前記フィラー信号を送信して、共有無線周波数(RF)スペクトル帯域へのアクセスを確保するステップであって、前記フィラー信号が、時分割複信(TDD)におけるダウンリンク(DL)送信とアップリンク(UL)送信との間で生じる送信ギャップの間に送信される、ステップと、
前記フィラー信号の前記送信の後に、確保された前記共有RFスペクトル帯域上で前記UL送信を送信するステップと
を含む方法。
【請求項２】
前記フィラー信号の前記最大許容長さが、前記基地局と前記基地局のカバレージエリアのエッジとの間の最大往復信号遅延の長さに対応する、請求項1に記載の方法。
【請求項３】
前記基地局によって構成されたパラメータから前記フィラー信号の前記最大許容長さを導出するステップ
をさらに含む、請求項1に記載の方法。
【請求項４】
前記フィラー信号の識別された前記長さが、タイミングアドバンス値に少なくとも部分的に基づき、前記タイミングアドバンス値が、ユーザ機器(UE)と前記基地局との間の伝搬遅延に少なくとも部分的に基づく、請求項1に記載の方法。
【請求項５】
前記フィラー信号の識別された前記長さが、前記フィラー信号の前記最大許容長さと前記タイミングアドバンス値との間の差に少なくとも部分的に基づく、請求項4に記載の方法。
【請求項６】
前記送信ギャップの長さが、ガード期間の長さ、前記タイミングアドバンス値、および前記フィラー信号の前記最大許容長さに少なくとも部分的に基づく、請求項4に記載の方法。
【請求項７】
前記送信ギャップの前記長さが、前記タイミングアドバンス値の更新に少なくとも部分的に基づく前記フィラー信号の識別された前記長さの変更によって経時的に変化する、請求項6に記載の方法。
【請求項８】
前記フィラー信号が、固定長部分および可変長部分から構成される、請求項7に記載の方法。
【請求項９】
前記固定長部分が、前記フィラー信号に対する最小の指定された長さを有し、前記可変長部分が、前記タイミングアドバンス値の更新に少なくとも部分的に基づいて決定された長さを有する、請求項8に記載の方法。
【請求項１０】
前記フィラー信号の前記最大許容長さおよび前記ガード期間の長さが、定数である、請求項7に記載の方法。
【請求項１１】
前記DL送信の終わりおよび前記ガード期間の長さの始まりを識別するステップ
をさらに含む、請求項6に記載の方法。
【請求項１２】
前記フィラー信号を送信する前に、前記ガード期間の長さが満了したと決定するステップ
をさらに含む、請求項11に記載の方法。
【請求項１３】
更新されたタイミングアドバンス値を識別するステップと、
前記フィラー信号の前記最大許容長さおよび前記更新されたタイミングアドバンス値に少なくとも部分的に基づいて、前記フィラー信号の更新された長さを識別するステップと、
後続のDL送信と後続のUL送信との間で生じる後続の送信ギャップの間に、前記更新された長さの後続のフィラー信号を送信するステップと、
前記後続のフィラー信号の前記送信の後に、前記後続のUL送信を送信するステップと
をさらに含む、請求項4に記載の方法。
【請求項１４】
ワイヤレス通信の方法であって、
基地局により、前記基地局のカバレージエリアに対するフィラー信号の最大許容長さを決定するステップであって、前記基地局が、時分割複信(TDD)を使用する共有無線周波数(RF)スペクトル帯域上で前記カバレージエリア内の複数のユーザ機器(UE)と通信するように構成される、ステップと、
ダウンリンク(DL)送信の終わりの後の送信ギャップの間に前記フィラー信号を送信することによって、前記フィラー信号の前記最大許容長さおよび前記共有RFスペクトル帯域を確保しようと試みるための許可を前記複数のUEのうちの少なくとも1つのUEに送信するステップと
を含む方法。
【請求項１５】
前記フィラー信号の前記最大許容長さが、前記カバレージエリアのエッジと前記基地局との間の最大往復信号遅延の長さに対応する、請求項14に記載の方法。
【請求項１６】
前記フィラー信号の前記最大許容長さの前記送信が、ブロードキャストシグナリングまたは上位レイヤシグナリングを介して前記DL送信の前に行われる、請求項14に記載の方法。
【請求項１７】
前記フィラー信号の前記最大許容長さの前記送信が、前記DL送信の一部である、請求項14に記載の方法。
【請求項１８】
前記基地局と前記複数のUEのうちの前記少なくとも1つのUEとの間の伝搬遅延に少なくとも部分的に基づいて、前記複数のUEのうちの前記少なくとも1つのUEに対するタイミングアドバンス値を識別するステップ
をさらに含む、請求項14に記載の方法。
【請求項１９】
前記フィラー信号の前記最大許容長さおよび前記タイミングアドバンス値に少なくとも部分的に基づいて、前記少なくとも1つのUEに対する前記フィラー信号の長さを識別するステップ
をさらに含む、請求項18に記載の方法。
【請求項２０】
前記許可が、前記少なくとも1つのUEが識別された前記長さの前記フィラー信号を送信することによって前記共有RFスペクトル帯域を確保しようと試みることを許可する、請求項19に記載の方法。
【請求項２１】
前記許可が、前記送信ギャップの長さ、前記フィラー信号の識別された前記長さ、ガード期間の長さ、またはそれらの組合せのうちの少なくとも1つを識別する、請求項20に記載の方法。
【請求項２２】
前記送信ギャップが、ガード期間の長さおよび前記フィラー信号の前記最大許容長さに少なくとも部分的に基づく、請求項14に記載の方法。
【請求項２３】
前記DL送信の終わりの後に、ガード期間の長さと前記フィラー信号の前記最大許容長さによって指定された長さとの合計に対応する長さの後の前記少なくとも1つのUEからのUL送信のための共有RFスペクトル探索を処理することを開始するステップ
をさらに含む、請求項14に記載の方法。
【請求項２４】
ワイヤレス通信のための装置であって、
プロセッサと、
前記プロセッサと電子通信しているメモリと、
前記メモリに記憶された命令と
を備え、
前記命令は、前記プロセッサによって実行されると、前記プロセッサに、
基地局によって構成されたフィラー信号の最大許容長さに少なくとも部分的に基づいて、前記フィラー信号の長さを識別することと、
識別された前記長さの前記フィラー信号を送信して、共有無線周波数(RF)スペクトル帯域へのアクセスを確保することであって、前記フィラー信号が、時分割複信(TDD)におけるダウンリンク(DL)送信とアップリンク(UL)送信との間で生じる送信ギャップの間に送信される、ことと、
前記フィラー信号の前記送信の後に、確保された前記共有RFスペクトル帯域上で前記UL送信を送信することと
を行わせる、装置。
【請求項２５】
前記フィラー信号の前記最大許容長さが、前記基地局と前記基地局のカバレージエリアのエッジとの間の最大往復信号遅延の長さに対応する、請求項24に記載の装置。
【請求項２６】
前記命令が、前記プロセッサに、
前記基地局によって構成されたパラメータから前記フィラー信号の前記最大許容長さを導出すること
をさらに行わせる、請求項24に記載の装置。
【請求項２７】
前記フィラー信号の識別された前記長さが、タイミングアドバンス値に少なくとも部分的に基づき、前記タイミングアドバンス値が、ユーザ機器(UE)と前記基地局との間の伝搬遅延に少なくとも部分的に基づく、請求項24に記載の装置。
【請求項２８】
ワイヤレス通信のための装置であって、
プロセッサと、
前記プロセッサと電子通信しているメモリと、
前記メモリに記憶された命令と
を備え、
前記命令は、前記プロセッサによって実行されると、前記プロセッサに、
基地局のカバレージエリアに対するフィラー信号の最大許容長さを決定することであって、前記基地局が、時分割複信(TDD)を使用する共有無線周波数(RF)スペクトル帯域上で前記カバレージエリア内の複数のユーザ機器(UE)と通信するように構成される、ことと、
ダウンリンク(DL)送信の終わりの後の送信ギャップの間に前記フィラー信号を送信することによって、前記フィラー信号の前記最大許容長さおよび前記共有RFスペクトル帯域を確保しようと試みるための許可を前記複数のUEのうちの少なくとも1つのUEに送信することと
を行わせる、装置。
【請求項２９】
前記命令が、前記プロセッサに、
前記基地局と前記少なくとも1つのUEとの間の伝搬遅延に少なくとも部分的に基づいて、前記少なくとも1つのUEに対するタイミングアドバンス値を識別すること
をさらに行わせる、請求項28に記載の装置。
【請求項３０】
前記命令が、前記プロセッサに、
前記フィラー信号の前記最大許容長さおよび前記タイミングアドバンス値に少なくとも部分的に基づいて、前記少なくとも1つのUEに対する前記フィラー信号の長さを識別すること
をさらに行わせる、請求項29に記載の装置。